(57)【要約】【課題】内部を流通する排水が外部へと飛散することが抑制された間接排水用継手を提供する。【解決手段】間接排水用継手１は、内側継手部３０と外側継手部１０とを備え、内側継手部３０の上流側の端部には、上流側排水管端部７１ａが接続される流入側接続部３１が形成されており、内側継手部３０の外周部には、内側継手部３０の内側内部空間４３と内側継手部３０の外部とを連通するスリット４２が設けられており、また外側継手部１０の下流側の端部には、下流側排水管端部７３ａが接続される流出側接続部１１が形成されており、かつ外側継手部１０の外周部には、外側継手部１０の外側内部空間１２と外側継手部１０の外部とを連通する外側通水部１３が設けられており、さらに、少なくとも内側継手部３０の下端は、前記外側継手部１０における外側通水部１３の下端よりも下流側に位置している。【選択図】図３
2019023387.tif 000002
【特許請求の範囲】
【請求項１】
上流側に配された上流側排水管の下流端に形成され、上流から流れてくる排水が流出する上流側排水管端部と、前記上流側排水管の下流側に配された下流側排水管の上流端に形成され、上流から流れてくる排水が流入する下流側排水管端部と、を含み、前記上流側排水管端部と前記下流側排水管端部とが上下方向で対向している排水経路部上において前記上流側排水管端部と前記下流側排水管端部とを連結する間接排水用継手であって、
入れ子状に組み付けられた外側継手部と内側継手部とを具備し、
前記内側継手部の上流側の端部には、前記上流側排水管端部が接続される流入側接続部が形成されており、かつ当該内側継手部の外周壁部には、当該内側継手部の内部空間と当該内側継手部の外部とを連通する内側通水部が設けられており、
また前記外側継手部の下流側の端部には、前記下流側排水管端部が接続される流出側接続部が形成されており、かつ当該外側継手部の外周壁部には、当該外側継手部の内部空間と当該外側継手部の外部とを連通する外側通水部が設けられており、
さらに、少なくとも前記内側継手部の下端は、前記外側継手部における前記外側通水部の下端よりも下流側に位置している
ことを特徴とする間接排水用継手。
【請求項２】
上流側に配された上流側排水管の下流端に形成され、上流から流れてくる排水が流出する上流側排水管端部と、前記上流側排水管の下流側に配された下流側排水管の上流端に形成され、上流から流れてくる排水が流入する下流側排水管端部と、を含み、前記上流側排水管端部と前記下流側排水管端部とが上下方向で対向している排水経路部上において前記上流側排水管端部と前記下流側排水管端部とを連結する間接排水用継手であって、
入れ子状に組み付けられた外側継手部と内側継手部とを具備し、
前記内側継手部の上流側の端部には、前記上流側排水管端部が接続される流入側接続部が形成されており、かつ当該内側継手部の外周壁部には、当該内側継手部の内部空間と当該内側継手部の外部とを連通する内側通水部が設けられており、
また前記外側継手部の下流側の端部には、前記下流側排水管端部が接続される流出側接続部が形成されており、かつ当該外側継手部の外周壁部には、当該外側継手部の内部空間と当該外側継手部の外部とを連通する外側通水部が設けられており、
前記内側継手部は底部を有した有底部材からなり、当該内側継手部の側周壁部のみに前記内側通水部が設けられている
ことを特徴とする間接排水用継手。
【請求項３】
前記内側継手部は底部を有した有底部材からなり、前記底部における外側最下面は、下流側に向かって突出した先尖形状をなしている
請求項１又は請求項２に記載の間接排水用継手。
【請求項４】
前記内側継手部は底部を有した有底部材からなり、前記底部における内側底面は、上流側に向かって突出した先尖形状をなしている
請求項１乃至請求項３のいずれか１項に記載の間接排水用継手。
【請求項５】
前記内側継手部は、下流側に向かって外径が縮径する先細り形状をなしており、下流側に向かうほど前記外側継手部の内周面との離間距離が大きくなっている
請求項１乃至請求項４のいずれか１項に記載の間接排水用継手。
【請求項６】
前記内側継手部が、前記流入側接続部が形成された接続部材と、前記内側通水部が形成された通水部材と、を互いに別部材として具備し、
前記通水部材は、前記接続部材に対して当該内側継手部の軸線周りに沿って回動自在であり、かつ前記通水部材は、前記外側継手部の外部から前記外側通水部を介して、当該内側継手部内を流れる排水を特定の方向のみから視認可能とする形状を有している
請求項１乃至請求項５のいずれか１項に記載の間接排水用継手。
【請求項７】
上流側に配された上流側排水管の下流端に形成され、上流から流れてくる排水が流出する上流側排水管端部と、前記上流側排水管の下流側に配された下流側排水管の上流端に形成され、上流から流れてくる排水が流入する下流側排水管端部と、を含み、前記上流側排水管端部と前記下流側排水管端部とが上下方向で対向している排水経路部上において前記上流側排水管端部と前記下流側排水管端部とを連結する間接排水用継手であって、
入れ子状に組み付けられた外側継手部と内側継手部とを具備し、
前記内側継手部の上流側の端部には、前記上流側排水管端部が接続される流入側接続部が形成されており、かつ当該内側継手部の外周壁部には、当該内側継手部の内部空間と当該内側継手部の外部とを連通する内側通水部が設けられており、
また前記外側継手部の下流側の端部には、前記下流側排水管端部が接続される流出側接続部が形成されており、かつ当該外側継手部の外周壁部には、当該外側継手部の内部空間と当該外側継手部の外部とを連通する外側通水部が設けられており、
前記内側継手部が、前記流入側接続部が形成された接続部材と、前記内側通水部が形成された通水部材と、を互いに別部材として具備し、
前記通水部材は、前記接続部材に対して当該内側継手部の軸線周りに沿って回動自在であり、かつ前記通水部材は、前記外側継手部の外部から前記外側通水部を介して、当該内側継手部内を流れる排水を特定の方向のみから視認可能とする形状を有している
ことを特徴とする間接排水用継手。
【発明の詳細な説明】
【技術分野】
【０００１】
本発明は、排水経路部上において間接排水を可能とする間接排水用継手に関する。
【背景技術】
【０００２】
従来、例えば給湯器等の機器のドレン排水を排出する排水経路に採用されるものであって、下流側の排水管から排水が逆流して機器に故障等の悪影響を与えてしまうことを防止する間接排水構造は既によく知られている（例えば特許文献１参照）。
【先行技術文献】
【特許文献】
【０００３】
【特許文献１】特開２０１６−２１１１６６号公報
【発明の概要】
【発明が解決しようとする課題】
【０００４】
しかしながら、上記特許文献１に開示されている間接排水用継手にあっては、流入部に流入した排水が流水筒部の下端にあたる流出口から流出する際に、開口部を介して外部へ飛散してしまう問題があった。
【０００５】
そこで本発明は、内部を流通する排水が外部へ飛散することを抑制することができる間接排水用継手を提供することを目的とする。
【課題を解決するための手段】
【０００６】
本発明は、上流側に配された上流側排水管の下流端に形成され、上流から流れてくる排水が流出する上流側排水管端部と、前記上流側排水管の下流側に配された下流側排水管の上流端に形成され、上流から流れてくる排水が流入する下流側排水管端部と、を含み、前記上流側排水管端部と前記下流側排水管端部とが上下方向で対向している排水経路部上において前記上流側排水管端部と前記下流側排水管端部とを連結する間接排水用継手であって、入れ子状に組み付けられた外側継手部と内側継手部とを具備し、前記内側継手部の上流側の端部には、前記上流側排水管端部が接続される流入側接続部が形成されており、かつ当該内側継手部の外周壁部には、当該内側継手部の内部空間と当該内側継手部の外部とを連通する内側通水部が設けられており、また前記外側継手部の下流側の端部には、前記下流側排水管端部が接続される流出側接続部が形成されており、かつ当該外側継手部の外周壁部には、当該外側継手部の内部空間と当該外側継手部の外部とを連通する外側通水部が設けられており、さらに、少なくとも前記内側継手部の下端は、前記外側継手部における前記外側通水部の下端よりも下流側に位置していることを特徴とする間接排水用継手である。
【０００７】
かかる構成にあって、前記内側継手部内に流入した排水は、当該内側継手部を伝って外側継手部側に流出するところ、当該内側継手部から滴り落ちる位置が前記外側通水部の下端よりも下流側となるため、排水が前記外側通水部から外部へ飛散してしまうことを抑制することができる。
【０００８】
なお、排水としては、上流側に配された機器から排出されるドレン排水や、上流側に配された雨樋から排出される雨水等が含まれる。
【０００９】
上記構成にあって、前記内側継手部に設けられている前記内側通水部が、前記内側継手部の側周壁部に形成された単数又は複数の貫通孔を含む構成が提案される。
【００１０】
また、前記内側継手部に設けられている前記内側通水部が、当該内側継手部の軸線周りに沿って当該内側継手部の側周壁部に螺旋状に形成された単数又は複数のスリットを含む構成が提案される。
【００１１】
さらに、前記内側継手部に設けられている前記内側通水部が、前記内側継手部の軸線に沿って当該内側継手部の側周壁部に形成された単数又は複数の縦長のスリットを含む構成が提案される。
【００１２】
上記のような構成とすることにより、スリットから排水が流出する際に当該スリットに水の膜が形成されることになるため、表面張力の作用によって当該スリットから排水が外部に向けて飛散しにくくなる利点がある。
【００１３】
また、前記内側継手部の下端部には、前記内側通水部よりも下流側に向かって延出された長尺状の伝達部が設けられている構成が提案される。
【００１４】
このような構成とすることにより、排水が伝達部を伝って下方へ流下するため、飛散範囲が縮小される利点がある。
【００１５】
また、本発明は、上流側に配された上流側排水管の下流端に形成され、上流から流れてくる排水が流出する上流側排水管端部と、前記上流側排水管の下流側に配された下流側排水管の上流端に形成され、上流から流れてくる排水が流入する下流側排水管端部と、を含み、前記上流側排水管端部と前記下流側排水管端部とが上下方向で対向している排水経路部上において前記上流側排水管端部と前記下流側排水管端部とを連結する間接排水用継手であって、入れ子状に組み付けられた外側継手部と内側継手部とを具備し、前記内側継手部の上流側の端部には、前記上流側排水管端部が接続される流入側接続部が形成されており、かつ当該内側継手部の外周壁部には、当該内側継手部の内部空間と当該内側継手部の外部とを連通する内側通水部が設けられており、また前記外側継手部の下流側の端部には、前記下流側排水管端部が接続される流出側接続部が形成されており、かつ当該外側継手部の外周壁部には、当該外側継手部の内部空間と当該外側継手部の外部とを連通する外側通水部が設けられており、前記内側継手部は底部を有した有底部材からなり、当該内側継手部の側周壁部のみに前記内側通水部が設けられていることを特徴とする間接排水用継手である。
【００１６】
かかる構成とすることにより、前記内側継手部内を流下した排水は、一旦、前記底部で受け止められてから前記内側通水部を介して前記外側継手部内に流出することになるため、前記内側継手部から流出する際の飛散範囲が縮小される利点がある。加えて、外側継手部と内側継手部の両方に通水部が設けられることにより、作業者が当該間接排水用継手の外部から観察した際に、前記上流側排水管端部が間接的に配管されていることが容易に確認可能である。また、内側継手部を有底部材で構成したため、下流からの逆流水（汚水）が内側継手部内に浸入してしまうことを防止することができると共に、この逆流水を外側通水部に向けて案内しやすいという利点がある。
【００１７】
また、前記内側継手部は底部を有した有底部材からなり、前記底部における外側最下面は、下流側に向かって突出した先尖形状をなしている構成が提案される。
【００１８】
かかる構成とすることにより、前記内側継手部の内側通水部から流出して当該内側継手部の外周面を伝って流下する排水は、先尖形状の部分から滴り落ちるように流下することになるため、内側継手部から流出する際の飛散範囲が縮小される利点がある。
【００１９】
さらに、前記内側継手部は底部を有した有底部材からなり、前記底部における内側底面は、上流側に向かって突出した先尖形状をなしている構成が提案される。
【００２０】
かかる構成とすることにより、流下する排水が前記底部に衝突した際の衝撃を緩和させることが可能となり、前記内側継手部から流出する際の飛散範囲が縮小される利点がある。
【００２１】
そして、前記内側継手部は、下流側に向かって外径が縮径する先細り形状をなしており、下流側に向かうほど前記外側継手部の内周面との離間距離が大きくなっている構成が提案される。
【００２２】
かかる構成とすることにより、前記内側継手部から排出された排水が前記外側継手部の外側通水部に到達しにくくなるため、前記外側通水部を介して排水が外部へ飛散してしまうことを抑制することができる。
【００２３】
またさらに、前記内側継手部が、前記流入側接続部が形成された接続部材と、前記内側通水部が形成された通水部材と、を互いに別部材として具備し、前記通水部材は、前記接続部材に対して当該内側継手部の軸線周りに沿って回動自在であり、かつ前記通水部材は、前記外側継手部の外部から前記外側通水部を介して、当該内側継手部内を流れる排水を特定の方向のみから視認可能とする形状を有している構成が提案される。
【００２４】
かかる構成とすることにより、前記内側継手部を配置する際に、排水の流下態様を外部から確認できる向きとすべく、接続部材に対する通水部材の向きを容易に調整することができる。そしてこのように、前記外側通水部を介して排水の流下態様が外部から視認可能となることにより、前記上流側排水管が間接的に配管されていることが容易に確認可能となる。
【００２５】
また、本発明は、上流側に配された上流側排水管の下流端に形成され、上流から流れてくる排水が流出する上流側排水管端部と、前記上流側排水管の下流側に配された下流側排水管の上流端に形成され、上流から流れてくる排水が流入する下流側排水管端部と、を含み、前記上流側排水管端部と前記下流側排水管端部とが上下方向で対向している排水経路部上において前記上流側排水管端部と前記下流側排水管端部とを連結する間接排水用継手であって、入れ子状に組み付けられた外側継手部と内側継手部とを具備し、前記内側継手部の上流側の端部には、前記上流側排水管端部が接続される流入側接続部が形成されており、かつ当該内側継手部の外周壁部には、当該内側継手部の内部空間と当該内側継手部の外部とを連通する内側通水部が設けられており、また前記外側継手部の下流側の端部には、前記下流側排水管端部が接続される流出側接続部が形成されており、かつ当該外側継手部の外周壁部には、当該外側継手部の内部空間と当該外側継手部の外部とを連通する外側通水部が設けられており、前記内側継手部が、前記流入側接続部が形成された接続部材と、前記内側通水部が形成された通水部材と、を互いに別部材として具備し、前記通水部材は、前記接続部材に対して当該内側継手部の軸線周りに沿って回動自在であり、かつ前記通水部材は、前記外側継手部の外部から前記外側通水部を介して、当該内側継手部内を流れる排水を特定の方向のみから視認可能とする形状を有していることを特徴とする間接排水用継手である。
【００２６】
かかる構成にあっても、前記内側継手部を配置する際に、排水の流下態様を外部から確認できる向きとすべく、接続部材に対する通水部材の向きを容易に調整することができる。そしてこのように、前記外側通水部を介して排水の流下態様が外部から視認可能となることにより、前記上流側排水管が間接的に配管されていることが容易に確認可能となる。
【発明の効果】
【００２７】
本発明の間接排水用継手は、内部を流通する排水が外部へ飛散しにくい効果がある。
【図面の簡単な説明】
【００２８】
【図１】実施例１に係る間接排水用継手の使用状態を示す説明図である。
【図２】実施例１に係る間接排水用継手の外観斜視図である。
【図３】実施例１に係る間接排水用継手を示し、（ａ）は正面図であり、（ｂ）は縦断面図である。
【図４】実施例１に係る間接排水用継手を示し、（ａ）は側面図であり、（ｂ）は縦断面図である。
【図５】弁体の動作概要を示す説明図であり、（ａ）は流体逆流阻止状態を示し、（ｂ）は通過状態を示す。
【図６】内径縮径部と突条部とが係合した状態の間接排水用継手を示し、（ａ）は側面図であり、（ｂ）は縦断面図である。
【図７】間接排水用継手を接続する工程を示す説明図である。
【図８】間接排水用継手を接続する工程を示す説明図である。
【図９】通水部材と接続部材とを離脱した状態を示す縦断面図である。
【図１０】実施例２に係る間接排水用継手を示す縦断面図である。
【図１１】実施例３に係る間接排水用継手を示す縦断面図である。
【図１２】（ａ）は実施例４に係る内側継手部の縦断面図であり、（ｂ）は実施例５に係る内側継手部の縦断面図であり、（ｃ）は実施例６に係る内側継手部の縦断面図である。
【図１３】（ａ）は実施例７に係る内側継手部の縦断面図であり、（ｂ）は実施例８に係る内側継手部の縦断面図であり、（ｃ）は実施例９に係る内側継手部の縦断面図であり、（ｄ）は（ｃ）の底面図である。
【図１４】実施例１０に係る内側継手部を示し、（ａ）は正面図であり、（ｂ）は縦断面図である。
【図１５】実施例１０に係る間接排水用継手を示し、（ａ）は正面図であり、（ｂ）は縦断面図である。
【発明を実施するための形態】
【００２９】
本発明の間接排水用継手が、給湯器のドレン排水を排出する排水経路部上に使用された実施例を詳細に説明する。なお、本発明は、下記に示す実施例に限定されることはなく、適宜設計変更が可能である。
【００３０】
〔実施例１〕
図１に示すように、間接排水用継手１は、上流側に配された給湯器７０と、下流側に配された排水本管７５との間に配置されて使用される。具体的に間接排水用継手１には、給湯器７０のドレン排水を排出する上流側排水管であるドレン管部７１が接続されていると共に、排水本管７５に接続されたます７４に連通する下流側排水管である排水管部７３が接続されている。そして、間接排水用継手１は、上流から流れてくるドレン排水を、排水本管７５に向けて間接排水する機能を有する。
【００３１】
以下、間接排水用継手１の構成について説明する。
図２〜図４等に示すように、間接排水用継手１は、軸線方向を上下方向とした筒状の外側継手部１０と、外側継手部１０の内側に挿入されて入れ子状に組み付けられた筒状の内側継手部３０と、を備えている。
【００３２】
まず、外側継手部１０について説明する。
図２〜図４に示すように、外側継手部１０における下流側の端部（下端部）には、排水管部７３の上流端に形成された下流側排水管端部７３ａが接続される直管形状の流出側接続部１１が形成されている。
【００３３】
また、外側継手部１０は、上側に配された円筒形状の通水部材１５と、下側に配されて流出側接続部１１を含む筒形状の接続部材１６とを具備している。ここで、通水部材１５と接続部材１６は、互いに別部材であり、公知のバヨネット機構１７によって軸方向（上下方向）に着脱自在となるように接続されている。
【００３４】
また、通水部材１５の外周壁部のうち側周面を有する側周壁部には、当該外側継手部１０の内部空間（外側内部空間）１２と当該外側継手部１０の外部とを連通させる複数の貫通孔からなる外側通水部１３が設けられている。なお、前記複数の貫通孔は、縦横に整列して配置されており、外側通水部１３の下端は、最下位置にある貫通孔の位置に対応する。
【００３５】
また、図３ｂ，図４ｂに示すように、通水部材１５における上端開口部には、内径が縮径した内径縮径部１８が形成されている。なお、内径縮径部１８が有するストッパー機能については後述する。
【００３６】
一方、図３ｂ，図４ｂに示すように、通水部材１５の下端には、トラップ手段としての逆止弁２０が脱着可能に取り付けられている。逆止弁２０は、間接排水用継手１内において、下流方向へドレン排水を流すことを許容し、かつ排水が上流方向へ逆流することを防止する機能を有している。
【００３７】
詳述すると、逆止弁２０は、ドレン排水が内部を流通可能であって、下側に向かう程縮径した弾性変形可能な弁構造を有している。そして、下端部に形成された排出口２２（図５参照）は、通常時において対向する一対の平板状の口縁部２３，２３が互いに密着することで閉鎖された状態となっている。
【００３８】
次に、内側継手部３０について説明する。
図２，図３ａ，図４ａに示すように、内側継手部３０における上流側の端部（上端部）には、ドレン管部７１の下流端に形成された上流側排水管端部７１ａが接続される流入側接続部３１が雌ネジ状に形成されている。なお、図７ａに示すように、ドレン管部７１の上流側排水管端部７１ａは、内側継手部３０の流入側接続部３１に螺着可能な雄ネジ形状を有しており、上流側排水管端部７１ａと流入側接続部３１とが螺着することによって相互が固定される。
【００３９】
また、図２等に示すように、内側継手部３０の外周面には、外形が六角柱形状を有する被係合部３２が形成されている。これにより、上流側排水用管端部７１ａに流入側接続部３１を螺着する作業を六角レンチ等の一般的な工具を被係合部３２に係合させて容易かつ迅速に行うことができる。
【００４０】
また、内側継手部３０において被係合部３２よりも下側の部位には、外側継手部１０の内径縮径部１８内に挿通された円筒形状の摺動筒部３５が形成されている。さらに、摺動筒部３５の下端には、外側継手部１０の内径縮径部１８内を通過不能な外径を有する径大部３６が形成されている。
【００４１】
加えて、摺動筒部３５の上端部における外周面には、突条部３７が周状に形成されている。具体的に突条部３７は、外側継手部１０の内径縮径部１８に係合可能となるように内径縮径部１８の内径よりもわずかに大きな外径を有している。
【００４２】
次に、内側継手部３０に対する外側継手部１０の動作態様について説明する。
外側継手部１０と内側継手部３０は、上述のように入れ子状に組み付けられてなるため、外側継手部１０と内側継手部３０とは互いに上下方向に摺動自在となっている。ここで、内側継手部３０を基準とした場合の外側継手部１０の摺動範囲は以下の通りとなる。
【００４３】
すなわち、図６ａ，図６ｂに示すように外側継手部１０が上限に位置した際には、外側継手部１０の内径縮径部１８と内側継手部３０の突条部３７とが係合して互いに移動不能な状態となる。このように、内径縮径部１８がストッパーとして機能しているとき、間接排水用継手１において流出側接続部１１と流入側接続部３１との離間距離が最小となる。なお、外側継手部１０の内径縮径部１８と、内側継手部３０の突条部３７とによって係合手段が構成される。
【００４４】
一方、図３に示すように、外側継手部１０が下限に位置した際には、外側継手部１０の内径縮径部１８と内側継手部３０の径大部３６とが係合した状態となる。このとき、間接排水用継手１において流出側接続部１１と流入側接続部３１との離間距離が最大となる。
【００４５】
次に、間接排水用継手１を排水経路部Ｘ上に接続する方法の一例を図７，図８に従って説明する。
【００４６】
図７（ａ）に示すように、互いに上下方向で対向しているドレン管部７１と排水管部７３との間の排水経路部Ｘ上において、まず排水管部７３の芯をずらして、ドレン管部７１の下方に間接排水用継手１が介在しうるだけの空間を確保する。この場合、ドレン管部７１側を撓ませて間接排水用継手１を接続できるだけの空間を確保しても構わない。
【００４７】
次いで、図７（ｂ）に示すように、ドレン管部７１の上流側排水管端部７１ａに間接排水用継手１の流入側接続部３１を螺着する。このとき、間接排水用継手１の内側継手部３０には被係合部３２が形成されているため、六角レンチ等の一般的な工具を用いて容易かつ迅速に作業を行うことができる。なお、このとき間接排水用継手１は、外側継手部１０の内径縮径部１８と内側継手部３０の突条部３７とが係合した状態とされている。すなわち、流出側接続部１１と流入側接続部３１との離間距離が最小となっている。
【００４８】
その後、図８（ａ）に示すように、排水管部７３の芯を元の位置に戻す。この状態で排水管部７３の下流側排水管端部７３ａは、間接排水用継手１の流出側接続部１１の直下に位置している。
【００４９】
そして図８（ｂ）に示すように、外側継手部１０の内径縮径部１８と内側継手部３０の突条部３７との係合を解除するように外側継手部１０を下方向に引っ張ることで、流出側接続部１１と排水管部７３の下流側排水管端部７３ａとが接続され、配管を接続する作業が完了する。これにより、排水経路部Ｘ上に間接排水用継手１が接続されてなる配管接続構造が構築される。
【００５０】
このように、間接排水用継手１は、ドレン管部７１と排水管部７３との間に無理やり嵌め込むのではなく、外側継手部１０と内側継手部３０とを上下に摺動することによってドレン管部７１と排水管部７３とに順序良く接続することができる。
【００５１】
なお、図１に示すような施工が完了した状態において、ドレン排水が流れない通常時は、図５（ａ）に示すように、逆止弁２０の口縁部２３，２３が互いに密着して排出口２２が閉鎖された流体逆流阻止状態αとなる。かかる状態では、排水本管７５内の流体（排水やガス）は、逆止弁２０よりも上流側へ流出することが阻止されている。したがって、当該流体が給湯器７０内に漏出してしまって機器が損傷する、といったことがない。
【００５２】
一方、給湯器７０からドレン排水が流出し、逆止弁２０内に所定量のドレン排水が蓄積されると、当該ドレン排水の重量によって逆止弁２０が弾性変形して図５（ｂ）に示すような口縁部２３，２３が互いに離開した形状となり、排出口２２が開口した通過状態βとなる。かかる状態では、逆止弁２０内のドレン排水が適切に下流側へ排出される。また、間接排水用継手１は、内側継手部３０が上側に配置され、かつ外側継手部１０が下側に配置されている構成であって、ドレン排水が内径の小さい内側継手部３０から内径の大きい外側継手部１０へ向かって流動する構成であるため、ドレン排水が間接排水用継手１内で滞留してしまうことなく円滑に排水される。なお、逆止弁２０内に蓄積したドレン排水が適切に排出されると、当該逆止弁２０は元の形状に復帰して再び流体逆流阻止状態αとなる。
【００５３】
なお、仮に排水管部７３から排水が間接排水用継手１へ逆流したとしても、かかる逆流水は、外側内部空間１２から外側通水部１３を経て外部へ流出可能であるため、間接排水構造が適切に構築されている。
【００５４】
なお、上述の配管接続工程において、上流側排水管端部７１ａや下流側排水管端部７３ａに予め接着剤等を塗布しておいてもよい。特に上流側排水管端部７１ａと上流側接続部３１とは螺着によって接続されるため、シールテープを用いて螺着部分からの漏水を防止することもできる。
【００５５】
また、間接排水用継手１の接続方法は上記の内容に限定されず、例えば先に下流側排水管端部７３ａと流出側接続部１１とを接続した後、上流側排水管端部７１ａと上流側接続部３１とを接続するようにしても構わない。
【００５６】
また、図９に示すように、間接排水用継手１は、配管接続された状態のままでバヨネット機構１７を解除して通水部材１５と接続部材１６とを上下に分割することができる。したがって、通水部材１５と接続部材１６との隙間から逆止弁２０を交換してメンテナンス作業を行うことができる。
【００５７】
また、外側継手部１０や内側継手部３０は成形の容易さから合成樹脂製であることが望ましいがこれに限定されない。
【００５８】
また、通水部材１５と接続部材１６とを接続する構成は、バヨネット機構に代えて、他の構成が採用されても勿論よい。
【００５９】
また、逆止弁２０は、上記した構成に限定されることはなく、例えばフロート（浮き部材）を用いた構成でもよい。また、逆止弁２０は、必須のものではない。
【００６０】
また、通水部１３の形状は、上記した形状以外の構成であってもよい。ただし、過剰に大きな貫通孔で構成すると、外部から虫等が進入して間接排水用継手１の機能を阻害する可能性があるため、適正な寸法の貫通孔であることが望ましい。
【００６１】
また、被係合部３２は六角柱形状である必要はなく、他の形状であってもよい。また、例えばスクリュードライバー等を差し込むことのできる孔を設け、当該孔にスクリュードライバー等を差し込んで内側継手部３０を軸周りに回動させる構成であってもよい。なお、上流側排水管端部７１ａが雄ネジ形状ではなく直管形状である場合には、流入側接続部３１の形状をこれに対応させた形状とすればよい。
【００６２】
次に、本発明の要部について説明する。具体的には、内側継手部３０について詳述する。
【００６３】
図３ｂ等に示すように、内側継手部３０の径大部３６より下側の部位は、先端（下端）に底部４１を有する有底筒形状を有しており、かつ、下流側（下側）に向かって外径が縮径する先細り形状をなしている。
【００６４】
また、底部４１の内周面となる内側底面４１ａは、上流側（上側）に向かって突出した先尖形状をなしている。一方、底部４１の外周面となる外側最下面４１ｂは、下流側（下側）に向かって突出した先尖形状をなしている。
【００６５】
さらに、内側継手部３０の径大部３６より下側の外周壁部のうち、底部４１を除く部位となる側周壁部には、上下方向に縦長とされたスリット４２が当該内側継手部３０の軸線周りに複数並設されている。このように、スリット４２が形成されることにより、内側継手部３０の内側内部空間４３と外部にあたる外側内部空間１２とが連通している。なお、スリット４２により、本発明に係る内側通水部が構成されている。
【００６６】
さらに、本実施例における間接排水用継手１にあっては、図１に示すような施工が完了した状態で、内側継手部３０の最下端にあたる底部４１の外側最下面４１ｂが、外側継手部１０における外側通水部１３よりも下流側（下側）に位置している。
【００６７】
上記構成により、ドレン管部７１から内側継手部３０内に排出されたドレン排水は、外側通水部１３よりも下流側に配置された底部４１の外側最下面４１ｂから滴り落ちることになるため、ドレン排水が外側継手部１０の外側通水部１３を介して外部へ飛散してしまう、ことが抑制される。
【００６８】
また、上述のように内側継手部３０は先細り形状をなしており、下流側に向かうほど外側継手部１０の内周面と内側継手部３０との離間距離が大きくなっているため、ドレン排水が外部へ飛散することがより一層抑制されている。
【００６９】
加えて、内側継手部３０内に流入したドレン排水は、一旦、底部４１に受け止められてからスリット４２を通して外側内部空間１２に流出するため、ドレン排水の飛散範囲が縮小されている。
【００７０】
また、内側継手部３０の底部４１における内側底面４１ａが先尖形状をなしているため、流下するドレン排水が底部４１に衝突した際の衝撃を緩和してドレン排水の飛散範囲がより一層縮小されている。
【００７１】
さらに、内側継手部３０の底部４１における外側最下面４１ｂが先尖形状をなしているため、ドレン排水が当該外側最下面４１ｂを伝って滴り落ちるように流下することになり、ドレン排水の外部への飛散が大幅に抑制される。
【００７２】
〔実施例２〕
実施例２に係る間接排水用継手２を図１０に従って説明する。なお、実施例１と同様の構成を有するものは同じ符号を付し、説明を省略する。
【００７３】
間接排水用継手２の内側継手部５２の径大部３６より下側の部位は、先端に底部４５を有する有底筒形状を有しており、下流側（下側）に向かって外径が縮径する先細り形状をなしている。また、底部４５における内側底面４５ａは、上流側に向かって突出した先尖形状をなしている。
【００７４】
また、底部４５の外側下端部４５ｂは、略鉛直方向に沿って上向きに凹陥された凹形状とされている。なお、外側下端部４５ｂは、外側継手部１０における外側通水部１３の下端よりも下流側（下側）に位置している。
【００７５】
また、内側継手部５２の径大部３６より下側の側周壁部には、当該内側継手部５２の軸線周りに沿って螺旋状に形成されたスリット４６が複数設けられている。なお、スリット４６の形状は、湾曲形状とされている。また、スリット４６は単数であってもよい。
【００７６】
かかる間接排水用継手２にあっては、ドレン管部７１から内側継手部５２内に流入したドレン排水が、底部４５の外側下端部４５ｂから滴り落ちて流下するため外部へ飛散してしまうことが抑制される。
【００７７】
さらに、内側継手部５２が先細り形状をなしており、下流側に向かうほど外側継手部１０の内周面との離間距離が大きくなっているため、ドレン排水が外部へ飛散することがより一層抑制されている。
【００７８】
加えて、ドレン排水が一旦底部４５で受け止められてからスリット４６を通して外側内部空間１２に流出するため、ドレン排水の飛散範囲が縮小されている。
【００７９】
また、底部４５における内側底面４５ａが先尖形状をなしているため、ドレン排水が底部４５に衝突した際の衝撃を緩和してドレン排水の飛散範囲をより一層縮小している。
【００８０】
〔実施例３〕
実施例３に係る間接排水用継手３を図１１に従って説明する。なお、実施例１，２と同様の構成を有するものは同じ符号を付し、説明を省略する。
【００８１】
図１１に示すように、内側継手部５３の側周壁部において当該内側継手部５３の軸線周りに沿って螺旋状に複数形成されたスリット４７の形状は、ストレート形状とされている。また、スリット４７は、単数であってもよい。
【００８２】
〔実施例４〕
実施例４に係る内側継手部５４を図１２ａに従って説明する。なお、実施例１〜３と同様の構成を有するものは同じ符号を付し、説明を省略する。
【００８３】
図１２ａに示すように、内側継手部５４は、側周壁部に複数設けられた貫通孔６２と、下端に形成された貫通孔６１と、を有している。
【００８４】
〔実施例５〕
実施例５に係る内側継手部５５を図１２ｂに従って説明する。なお、実施例１〜４と同様の構成を有するものは同じ符号を付し、説明を省略する。
【００８５】
図１２ｂに示すように、内側継手部５５の側周壁部には、当該内側継手部５５の軸線方向に沿って形成された縦長のスリット６３が複数設けられている。かかるスリット６３は下端が開放された形状を有しており、内側継手部５５の下端には、スリット６３と連通する貫通孔６１が形成されている。
【００８６】
〔実施例６〕
実施例６に係る内側継手部５６を図１２ｃに従って説明する。なお、実施例１〜５と同様の構成を有するものは同じ符号を付し、説明を省略する。
【００８７】
図１２ｃに示すように、内側継手部５６の側周壁部には、当該内側継手部５６の軸線周りに沿って形成された複数のスリット６４が設けられている。また、内側継手部５６の下端には貫通孔６１が形成されている。
【００８８】
〔実施例７〕
実施例７に係る内側継手部５７を図１３ａに従って説明する。なお、実施例１〜６と同様の構成を有するものは同じ符号を付し、説明を省略する。
【００８９】
図１３ａに示すように、内側継手部５７の側周壁部には、螺旋状に形成された単一のスリット６５が設けられている。また、内側継手部５７の下端には底孔部６１が形成されている。
【００９０】
〔実施例８〕
実施例８に係る内側継手部５８を図１３ｂに従って説明する。なお、実施例１〜７と同様の構成を有するものは同じ符号を付し、説明を省略する。
【００９１】
図１３ｂに示すように、内側継手部５８の外周壁部には、螺旋状に形成された単一のスリット６６のみが設けられている。
【００９２】
〔実施例９〕
実施例９に係る内側継手部５９を図１３ｃ，図１３ｄに従って説明する。なお、実施例１〜８と同様の構成を有するものは同じ符号を付し、説明を省略する。
【００９３】
図１３ｃ，図１３ｄに示すように、内側継手部５９内には、複数のブリッジ６７，６７，６７が横断状に架け渡されており、さらに各ブリッジ６７が交差する部位から下流側（下側）に向かって長尺状の伝達部６８が延出されている。
【００９４】
〔実施例１０〕
本実施例の間接排水用継手４は、図１４，図１５に示すように、外側継手部８０と内側継手部９０を備えている。
【００９５】
そして、外側継手部８０の側周部には、窓状の外側通水部８２が設けられている。一方、内側継手部９０は、円筒形状で流入側接続部３１が形成された接続部材９１と、円筒形状であって内側通水部９５が形成された通水部材９２とを、互いに別部材として具備している。なお、接続部材９１及び通水部材９２は、当該内側継手部９０の軸線周りに回動自在に脱着可能となっている。
【００９６】
さらに、内側継手部９０の下端部は、当該内側継手部９０の軸線に対して斜めに切断されてなり、当該切断されてなる部位が内側通水部９５とされている。このように、内側通水部９５が内側継手部９０の軸線に対して斜めに切断されているため、外側通水部８２と内側通水部９５とが対向した位置に内側継手部９０を配置すると、外側から内部空間が確認できる。これと共に、内部からの排水については、通水部材９２の壁面を伝って下流へ排出されることになるため、より一層、排水飛散が抑制されることとなる。
【００９７】
かかる間接排水用継手４にあっては、図１５に示すように、外側通水部８２に内側通水部９５の開口面を対向させることで、外部から外側通水部８２を介して内側通水部９５を流下する排水を視認可能とすることができる。
【００９８】
例えば、下流側排水管端部７３ａと流出側接続部１１とを接続する工程（図８参照）において、窓状の外側通水部８２が所望の方向を向くように外側継手部８０を接続した後、内側通水部９５が外側通水部８２に対向する向きとなるように内側継手部９０の通水部材９２を軸周りに回動させる。これにより、内側通水部９５を流下する排水を、外側通水部８２を通して外部から視認可能とすることができる。そしてこのように、外側通水部８２を介して排水の流下態様が外部から視認可能となることにより、ドレン管部７１が間接的に配管されていることが容易に確認可能となる。ここで、接続部材９１と通水部材９２とは別部材によって構成されているため、内側継手部９０をドレン管部７１に接続し、外側継手部８０を排水管部７３に接続した後に、仮に、外側継手部８０の外側通水部８２と内側継手部９０の内側通水部９５とが適正な位置（対向位置）からずれてしまっている場合は、通水部材９２を内側継手部９０の軸線周りに回動させて調整することにより、適正な位置（対向位置）に修正することが可能である。
【００９９】
本実施例における間接排水用継手４にあっても、内側継手部９０の下端である内側通水部９５の下端が、外側通水部８２の下端よりも下流側（下側）に位置させることで、排水が外部に飛散することを抑制することができる。特に、本実施例の内側通水部９５は、下流側に向かうに従い外側通水部８２から遠ざかる形状となっており、ドレン排水の飛散がより効果的に抑制されている。
【０１００】
なお、上記実施例において、各部の寸法形状は適宜自由に選択可能である。
【０１０１】
また、トラップ手段としての逆止弁２０が取り付けられた構成に代えて、進入物としての虫や臭気が上流に向かって進入することを阻止する器具（トラップ手段）が使用された構成であってもよい。
【０１０２】
また、間接排水用継手１は、上述した使用形態に代えて、雨樋を流れる雨水を排出する経路に使用されてもよい。例えば、間接排水用継手１の流入側接続部３１に、上流側に配された雨樋の下端部が接続され、流出側接続部１１に、下流側に配された雨水本管に連通した排水管部が接続される構成が提案される。かかる構成の間接排水用継手１は、上流から流れてくる雨水を、雨水本管に向けて間接排水する機能を有する。
【符号の説明】
【０１０３】
１〜４                  間接排水用継手
１０，８０              外側継手部
１１                    流出側接続部
１３，８２              外側通水部
３０，５２〜５８，９０  内側継手部
３１                    流入側接続部
４１，４５              底部
４１ａ，４５ａ          内側底面
４１ｂ                  外側最下面
４２，４６，６３〜６６  スリット
６１，６２              貫通孔（内側通水部）
６８            伝達部
７１            ドレン管部（上流側排水管）
７１ａ          上流側排水管端部
７３            排水管部（下流側排水管）
７３ａ          下流側排水管端部
７５            排水本管
９５            内側通水部
【図１】
2019023387.tif 000003
【図２】
2019023387.tif 000004
【図３】
2019023387.tif 000005
【図４】
2019023387.tif 000006
【図５】
2019023387.tif 000007
【図６】
2019023387.tif 000008
【図７】
2019023387.tif 000009
【図８】
2019023387.tif 000010
【図９】
2019023387.tif 000011
【図１０】
2019023387.tif 000012
【図１１】
2019023387.tif 000013
【図１２】
2019023387.tif 000014
【図１３】
2019023387.tif 000015
【図１４】
2019023387.tif 000016
【図１５】
2019023387.tif 000017